(57)【特許請求の範囲】
【請求項１】
電気通信網（２）において、ＩＤカード（１０）で身元確認された加入者のコールを、
その加入者から決済するための決済方法であり、これには
ＩＤカード（１０）に統合された時間測定装置（１００）によって通話時間を測定して通話時間を算定すること、
ＩＤカード（１０）に保存された１つ以上の料金表に依存して、決済すべき金額を判定することが含まれる決済方法であって、
時間コントローラ（５）が、ＩＤカード（１０）にセットされた時刻を検証し、時刻が正しくセットされていないならば時間ドキュメントをそのＩＤカード（１０）に送ること、および、
決済すべき金額は前記時間測定装置（１００）で定める時刻に依存することを特徴とする決済方法。
【請求項２】
料金表は料金サーバ（６）に保存されており、前記電気通信網（２）を介してＩＤカード（１０）に遠隔ロードでき、および／または変更できることを特徴とする請求項１に記載の決済方法。
【請求項３】
料金表を特有のＳＭＳ簡略メッセージで料金サーバ（６）から伝送できることを特徴とする請求項２に記載の決済方法。
【請求項４】
料金表をＵＳＳＤデータで前記料金サーバ（６）から伝送できることを特徴とする請求項３に記載の決済方法。
【請求項５】
料金サーバ（６）は、電気通信網（２）にＩＤカード（１０）がログインするとそのＩＤカード（１０）に保存されている料金表のバージョンを検証し、必要ならば、アクチュアルなバージョンをＩＤカードにロードすることを特徴とする請求項２から請求項４の何れか１項に記載の決済方法。
【請求項６】
時間コントローラ（５）が、ＩＤカード（１０）のログインごとに、セットされた時刻を検証し、時刻が正しくセットされていないならば、時間ドキュメントをそのＩＤカードに送ることを特徴とする請求項１から請求項５の何れか１項に記載の決済方法。
【請求項７】
送られた時間ドキュメントに電子署名されることを特徴とする請求項１から請求項６の何れか１項に記載の決済方法。
【請求項８】
加入者がすでにコールした電気通信網領域のための料金だけがＩＤカード（１０）に保存され、オプションでは、いくつかのあらかじめ決めた電気通信網領域のための料金表も保存されることを特徴とする請求項１から請求項７の何れか１項に記載の決済方法。
【請求項９】
前記料金サーバ（６）とＩＤカード（１０）の間で行われる料金表（１０）の伝送は、暗号化されることを特徴とする請求項２から請求項８の何れか１項に記載の決済方法。
【請求項１０】
前記料金サーバ（６）とＩＤカード（１０）の間での料金表（１０）の伝送は、署名されて行われることを特徴とする請求項２から請求項８の何れか１項に記載の決済方法。
【請求項１１】
決済されるべき金額は、発信者の所在位置に依存することを特徴とする請求項１から請求項１０の何れか１項に記載の決済方法。
【請求項１２】
決済されるべき金額は、受信者の所在位置に依存することを特徴とする請求項１から請求項１１の何れか１項に記載の決済方法。
【請求項１３】
決済されるべき金額は、可能な割引に依存することを特徴とする請求項１から請求項１２の何れか１項に記載の決済方法。
【請求項１４】
前記時間測定装置（１００）はＩＤカード（１０）に統合された１つのオシレータを内包することを特徴とする請求項１から請求項１３の何れか１項に記載の決済方法。
【請求項１５】
前記オシレータはクォーツオシレータであることを特徴とする請求項１４に記載の決済方法。
【請求項１６】
算定された金額が、直接、ＩＤカード（１０）のプリペイド口座から引き落されることを特徴とする請求項１から請求項１５の何れか１項に記載の決済方法。
【請求項１７】
決済される金額がパラメータに依存するが、それらのパラメータはビリングドキュメント（請求書類）に含められて、前記電気通信網（２）のビリングサーバに送られることを特徴とする請求項１から請求項１６の何れか１項に記載の決済方法。
【請求項１８】
ビリングドキュメントは電子署名されることを特徴とする請求項１７に記載の決済方法。
【請求項１９】
ビリングサーバに送られたビリングドキュメントは分類され、対応する金融サービス会社に送られることを特徴とする請求項１８に記載の決済方法。
【請求項２０】
ビリングドキュメントと平行してＣＤＲが、電気通信網（２）でコントロールのために作られることを特徴とする請求項１７から請求項１９の何れか１項に記載の決済方法。
【請求項２１】
ＩＤカード（１０）の、トラヒック処理を行わないリソースの利用料金も、保存された料金表と前記時間測定装置に依存して決済されることを特徴とする請求項１から請求項２０の何れか１項に記載の決済方法。
【請求項２２】
端末（１）に着脱可能な方法で差しこむことができる、電気通信網加入者用のＩＤカード（１０）であり、それには、
電気通信網（２）加入者の少なくとも身元識別データを含むデータの保存を可能にするデータ処理媒体、
１つ以上の料金表（その場合決済されるべき金額は算定された通話時間とこの料金表に依存して算定される）、
統合された時間測定装置（１００）（これによって通話時間が算定される）が含まれるＩＤカードであって、
時間コントローラ（５）からＩＤカード（１０）に伝送された、時間データを含む時間ドキュメントを受信し、時間測定装置（１００）を伝送された時刻にセットするための媒体が入っていること、および時間測定装置（１００）を制御するためのレジスタとプログラムが、加入者がアクセスできないＩＤカード（１０）の領域（１２）に保存されていることを特徴とするＩＤカード（１０）。
【請求項２３】
１つ以上の料金表がＩＤカード（１０）のＥＥＰＲＯＭに保存されていること，および前記電気通信網（２）の料金サーバ（６）から遠隔ロードでき、および／または変更できることを特徴とする請求項２２に記載のＩＤカード（１０）。
【請求項２４】
特有のＳＭＳ簡略メッセージで料金表を認識でき、ロードできることを特徴とする請求項２３に記載のＩＤカード（１０）。
【請求項２５】
ＵＳＳＤデータで料金表を認識でき、ロードできることを特徴とする請求項２３に記載のＩＤカード（１０）。
【請求項２６】
加入者がすでにコールした電気通信領域のための料金だけが保存され、オプションでは、いくつかのあらかじめ決めた電気通信領域のための料金表も保存されることを特徴とする請求項２２から請求項２５の何れか１項に記載のＩＤカード。
【請求項２７】
そのほかに、受信した料金表を復号するためのＴＴＰ復号媒体が含まれることを特徴とする請求項２３から請求項２６の何れか１項に記載のＩＤカード。
【請求項２８】
前記時間測定装置（１００）には、ＩＤカード（１０）に統合されているオシレータが含まれることを特徴とする請求項２２から請求項２７の何れか１項に記載のＩＤカード。
【請求項２９】
前記オシレータがクォーツオシレータであることを特徴とする請求項２８に記載のＩＤカード。
【請求項３０】
プリペイド口座が入っており、その口座から直接、決済される金額が引き落されることを特徴とする請求項２２から請求項２９の何れか１項に記載のＩＤカード。
【請求項３１】
決済されるべき金額をビリングドキュメントに記入するための、および前記電気通信網（２）のビリングコレクタ（４）に送るための媒体が含まれることを特徴とする請求項２２から請求項３０の何れか１項に記載のＩＤカード。
【請求項３２】
ビリングドキュメントに平行してＣＤＲがローミング可能な電気通信網（２）でコントロール用に作られることを特徴とする請求項３１に記載のＩＤカード。
【請求項３３】
ＩＤカードの、トラヒック処理を行わないリソースの利用料金も、前記料金表と前記時間測定装置（１００）に依存して決済するための媒体が入っていることを特徴とする請求項２２から請求項３２の何れか１項に記載のＩＤカード。
【請求項３４】
そのほかに、時間測定装置（１００）に給電する１つのエネルギー保存装置（１１）が入っていることを特徴とする請求項２２から請求項３３の何れか１項に記載のＩＤカード（１０）。
【請求項３５】
電気通信システムであり、そのシステムでは加入者は１枚のＩＤカード（１０）で識別され、多くの端末（１）が接続されており、端末には着脱可能な方法でＩＤカード（１０）を差しこむことができ、少なくともある程度のＩＤカード（１０）に１つの料金表が入っており、少なくともある程度のＩＤカード（１０）にはそのほかに１つの統合された時間測定装置（１００）が入っており、それによって通話時間が算定され、および、この加入者の少なくともある程度のコールに対して決済される金額は、この算定された時間と前記料金表に依存して算定される電気通信システムであって、
そのほかに、時間コントローラ（５）が入っており、それによってＩＤカード（１０）に統合された時間測定装置（１００）の時刻を調節でき、時間コントローラ（５）で算定された時刻は時間ドキュメントでＩＤカード（１０）に送られることを特徴とする電気通信システム。
【請求項３６】
そのほかに１つの料金サーバ（６）が入っており、そこには料金表が保存されており、およびＳＩＭサーバ（３）が含まれており、それによって料金表を前記電気通信網（２）を介してＩＤカード（１０）に遠隔ロードできることを特徴とする請求項３５に記載の電気通信システム。
【請求項３７】
そのほかに、１つのＴＴＰサーバ（７）が入っており、それによってデータ伝送がＩＤカード（１０）で署名され、暗号化できることを特徴とする請求項３５から請求項３６の何れか１項に記載の電気通信システム。
【請求項３８】
そのほかに１つのビリングコレクタ（４）が入っており、これは種々のＩＤカード（１０）が作ったビリングドキュメントを集めることを特徴とする請求項３５から請求項３７の何れか１項に記載の電気通信システム。
【請求項３９】
前記ビリングコレクタ（４）は受け取ったビリングドキュメントを金融サービ会社ごとに分類し、対応する金融サービス会社に送ることを特徴とする請求項３８に記載の電気通信システム。
【発明の詳細な説明】
【０００１】
本発明は、電気通信システムでの決済方法に関する。本発明は、特にＩＤカードで実行できる決済方法およびそれに対応するＩＤカードに関するが、それに限定されるものではない。
【０００２】
電気通信網、たとえば、ＧＳＭ標準の電気通信網で決済されるべき通話料金は種々のパラメータ、特に通話時間、時刻、発信者と受信者の場所に依存する。こうしたパラメータ、特に通話時間はネットワークのインフラストラクチャ、たとえば、センターで算定される。このパラメータから決済すべき金額が算定され、加入者の口座からネットワーク事業者または金融機関によって引き落される。この決済方法は、ネットワーク事業者にとって非常に費用がかかり、決済システムは複雑であり、多くの人的操作または半自動的操作が必要である。
【０００３】
このポストペイド（事後支払い）決済方法のほかにプリペイドシステムも知られている。プリペイドシステムは多くの場合、ある金額をロードできる口座を持つ加入者特有のＩＤカードを使う。加入者のコールに対して決済される金額は、個々のコールに応じてその口座から引き落される。その後、口座にロードする方法についてはさまざまな方法が知られている。決済される金額を算定するために必要なパラメータはＣＡＩ（Ｃｈａｒｇｅ  Ａｄｖｉｃｅ  Ｉｎｆｏｒｍａｔｉｏｎ）という概念で知られており、ネットワーク事業者が管理するサーバで算定され、加入者のＩＤカードへ信号メッセージで伝送される。カードの処理媒体は、移動機器の表示部に決済された金額をその土地の通貨で表示し、この金額を保存されている金額から引き落す。
【０００４】
特許申請書ＷＯ９５／２８０６２には、プリペイドシステムを実現するための方法とＳＩＭカードについて記述されている。ＷＯ９５／２８０６２で公開された学説に沿って、ＧＳＭ標準の、いわゆるＣｈａｒｇｅ  Ａｄｖｉｃｅ  Ｉｎｆｏｒｍａｔｉｏｎ（“ｅ”パラメータ）が関係するモバイル機器に伝送され、それはコール構築中にモバイル機器からさらにＳＩＭカードへ伝送され、ＳＩＭカードは、保存されている前払い金額が、届いたコールまたは送ったコールに対して十分な金額であるかどうかを検証する。十分な金額ならば、ＷＯ９５／２８０６２に記載の、コール構築手順が終了し、通話時間を測定するためのＳＩＭカード（またはモバイル機器）の１つのタイマがスタートする。ＷＯ９５／２８０６２によれば、測定された通話時間から、および、ＳＩＭカードに保存されているか、またはＣｈａｒｇｅ  Ａｄｖｉｃｅ  Ｉｎｆｏｒｍａｔｉｏｎによってネットワークを介してモバイル機器に伝送される料金情報に基づいて、コール費用が定められ、先払いした金額から引き落される。ＷＯ９５／２８０６２によれば、特有のＣｈａｒｇｅ  Ａｄｖｉｃｅ  Ｉｎｆｏｒｍａｔｉｏｎは、コール構築中に定期的にネットワークを介してモバイル機器に伝送され、特有のＣｈａｒｇｅ  Ａｄｖｉｃｅ  ＩｎｆｏｒｍａｔｉｏｎはＳＩＭカードによって受け取りのサインがなされる。ただし先払い金額がコールを続けるのに十分である場合に限られる。
【０００５】
プリペイド決済方式はネットワーク事業者にとって好都合であり、事業者は請求書を出す必要がなくなる。しかし、決済されるべき金額の判定を常に行わなければならない。この方式は、ＧＳＭ領域で、標準ＥＴＳＩ  ＥＴＳ３００  ５１０（技術仕様ＧＳＭ０２．２４に対応）で定義されているＡｄｖｉｃｅ  ｏｆ  Ｃｈａｒｇｅ（ＡＯＣ）機能を使用できるような地理的領域と機器でのみ使用できる。それ故、プリペイドカードは多くの場合、ローミングの可能性が制限される。
プリペイド方式も、インテリジェントネットワークソリューションに関係して既知である。この方式も費用が高くなり、関係するオペレータのネットワークでのみ利用できる。
【０００６】
特許申請書ＷＯ９６／１１５４５には、スマートカードについて記述されており、これには１つの時計と１つのカレンダーが入っており、これらは１つのマイクロプロセッサに結びついており、マイクロプロセッサは１つの記憶装置と結びついている。ＷＯ９６／１１５４５で公開されている学説に沿って、このスマートカードは加入者ユニットに差し込まれ、加入者の身元証明および有効期限が加入者ユニットに送られ、有効期間中は加入者ユニットは加入者身元識別を利用し、スマートカードは使用できない。
特許申請書ＥＰ７２４  ３７１  Ａでは、２つ以上の無線ネットワークから１つの無線通信媒体を好適に選ぶことができる方法について記述しており、この場合、基本的には中央に設けたサーバ環境に保存されているネットワーク情報を基礎にして、最も安価なネットワークが選ばれる。
【０００７】
本発明の目的は、より好都合な決済方法を提案することであり、これには既知の方法の短所はなく、特にネットワーク事業者にとっては簡略化された決済方法となる。
本発明では、この目的が独立の方法請求項で説明する方法で達成され、種々の変更については独立請求項で説明する。
この目的は、そのほかに独立のＩＤカード請求項に記述するＩＤカードを使って、および独立のシステム請求項に記述するシステムによって達成される。
【０００８】
本発明の決済方法では、電気通信網加入者用のＩＤカードが使われ、このカードは端末に着脱できる方法で差込可能であり、ＩＤカードにはデータの保存を可能にする従来のデータ処理媒体（それには少なくとも電気通信網ユーザの身元識別データ（ＩＭＳＩ（国際移動加入者身元識別）、ＭＳＩＳＤＮ（移動局識別番号）またはＩＤＵＩ（国際デビットユーザ身元識別））が含まれており）のほかに決済されるべき通話時間の金額を算定する１つ以上の料金表、および通話時間を算定する１つの統合された時間測定装置が含まれる。
【０００９】
これによって、決済される金額の判定に必要なすべてのパラメータは、直接、カードで算定できるので、決済は直接、加入者のもとで行うことができる。
算定された金額は、直接、ＩＤカードのプリペイド口座から引き落され、および／またはビリングドキュメント（請求書）に記入され、電気通信網の引き落しサーバに送られる。
【００１０】
特許文書ＥＰ６５６７３３には、モバイル機器用の決済システムについて記述されており、このシステムでは、決済金額の算定に必要なすべてのコールパラメータはモバイル機器の記憶装置に保存されている。金額は情報用モバイル機器の表示装置に表示できる。しかし、この文書には、算定された金額がどのようにして自動的に引き落しできるかについては記述されていない。通話時間と時刻はモバイル機器の内部時計によって算定される。ネットワーク事業者は、他の製造者の提供するモバイル機器の時計の正確さに影響力をもたない。その他に、ほとんどのモバイル機器の時計は加入者が調整できる。特許文書ＦＲ２６８０２６１には、プリペイド口座および料金表を含む電話チップカードについて記述されている。通話に関して決済される金額は、通話時間と保存された料金表に従ってプリペイド口座から算定される。ただし、時刻と通話時間はカードに統合された時計ではなく外部の装置によって算定される。
【００１１】
時間測定装置つきＳＩＭカードは、すでにＷＯ９６／１１５４５によって既知である。このカードは、カードのタイマにロードされた時間だけ使用できる。ただし、この文書には、決済されるべき金額をどのようにして自動的に加入者に負担させられるかについては記述されていない。
【００１２】
ＥＰ７７０９５３には、統合された時計つきの別のチップカードについて記述されているが、このカードは電子文書の署名のために使われ、通話料金決済のためには使われない。
【００１３】
本発明について理解を深めるために図を用いて説明する。
参照記号１は端末機器、たとえば、ＧＳＭモバイル無線電話または通信できる１つのコンピュータを示す。端末１には、ＩＤカード１０、たとえば、１つのＳＩＭカード１０（加入者識別モジュール）が含まれ、これは電気通信網２のユーザを識別する。ＳＩＭカードは、現在は特にＧＳＭ、ＤＣＳ、またはＰＣＳモバイル機器に導入されるが、チップカードで加入者識別するような将来の固定通信網においても導入される。ＳＩＭカードの形式は、フルサイズカードまたはプラグインカードのいずれかになる。カードはカード表面の接触部分を介して端末１と接続される。他のカード形式および無接点カードも本発明の範囲内で使用できる。ＳＩＭカード１０にはデータ処理媒体、たとえば、既知のＧＳＭ−ＳＩＭマイクロコントローラが入っている。ＳＩＭカードは、たとえば技術仕様ＧＳＭ１１．１１およびＧＳＭ１１．１４に記述されており、これらは１９９５年、ないし１９６６年以降、欧州電気通信標準機構事務局、Ｆ−０６９２１、ソフィア・アンティポリスから入手できる。他のＩＤカード、たとえば、オープンカードという概念で知られている多目的カードも本発明に使用できる。
【００１４】
ＳＩＭカードには、そのほかにＳＭＳ簡略メッセージを送受信するための既知の媒体、および、特有の簡略メッセージを特許ＥＰ０６８９  ３６８  Ｂ１に記述されているＳＩＣＡＰ方式で好適に認識し、一時保存するための好適な既知のフィルタ媒体が入っている。好適には、ＳＩＭカードは、信号チャネルのＵＳＳＤデータによっても、ネットワーク２の他の機器と通信できる。そのほかに、受信したデータファイルを復号し、送るデータを暗号化し、署名するための暗号媒体と署名媒体が、好適には、入っている。暗号方式としては、たとえば、ＴＴＰ方式（Ｔｒｕｓｔｅｄ  Ｔｈｉｒｄ  Ｐａｒｔｙ）を利用できる。あるいは、Ｐｏｉｎｔ−ｔｏ−Ｐｏｉｎｔ方式で機能する暗号媒体も利用できる。
【００１５】
本発明では、ＳＩＭカード１０には１つの統合された時間測定装置１００が追加されており、これによって通話時間を算定できる。時間測定装置にハードウェア媒体、および／またはソフトウェア媒体を入れることもできる。好適な変更にすると時間測定装置に統合型の電子オシレータ、たとえば、クォーツオシレータが入れられる。好適には、オシレータ１００は、端末がオフになるとカード１０に入っているエネルギー保存装置（たとえば、蓄電池またはコンデンサー）によって給電される。
【００１６】
ＳＩＭカード１０は端末１に差し込まれると、電気通信網２、たとえば、ＧＳＭネットワークに接続される。ＳＩＭサーバ３も、同様にネットワーク２に接続され、特有のＳＭＳメッセージおよび／またはＵＳＳＤデータによってネットワーク２と通信できる。サーバ３およびＳＩＭカード１０の既知のフィルタ媒体によって、ＳＩＭサーバとＳＩＭカードの間でのデータファイル、命令、プログラムの交換などの特有のサービスが可能になる。そのほかに、好適には、ＳＩＭサーバ３はＴＴＰサーバ７と接続していて、署名するための暗号媒体と署名媒体は、ＳＩＭカード１０を使用して通信を行う。それによって身元証明の信頼性と認証、情報の認証、種々のメッセージ発信源の統合性、確認が保証される。Ｐｏｉｎｔ−ｔｏ−Ｐｏｉｎｔ暗号方式と署名方式も利用できる。
【００１７】
ＳＩＭサーバ３も時間コントローラ５に接続しており、これはＳＩＭカード１０に組み込まれている時間測定装置を下記に説明するように設定し、制御する。料金サーバ６はＳＩＭカードに組み込まれた料金表を設定し、制御する。ビリングコレクタ４はＳＩＭカード１０で作られるビリングドキュメント（請求書類）を集め、金融サービス会社ごとに分類し、以下に説明するように関係する金融サービス会社に送る。
【００１８】
種々のサーバ３〜７とＳＩＭカード１０との通信は、すでに述べたように電気通信網２を介して、この例では、ＧＳＭネットワークを介して行われる。ＧＳＭシステムでローミング可能であるため、ホームネットとのローミングを利用できるすべてのネットワークにおいて本発明の決済方法は利用できる。この方法は後で説明するように、ローミングによって接続されるＧＳＭ９００、ＧＳＭ１８００、およびＤＣＳ１９００個別ネットワークすべてにおいて利用できる。本発明は、ＧＳＭ以外のネットワークでも使用できる。
【００１９】
ローミング方法について、たとえば、Ｉ．Ｂｒｉｎｉほかの「デジタルセルラーネットワークの国際ローミング」（ＣＳＥＬＴ技術レポート、２０巻、６番、イタリア、１９９２年１２月、５３１−５３６ページ）、または同じ著者の「欧州ローミングの技術的問題」（ＣＳＥＬＴ技術レポート、２０巻、３番、イタリア、１９９２年６月、２０９−２１５ページ）に記述されている。
【００２０】
図２は、ＩＤカード１０のアーキテクチャを図式的に示す。カードはすでに述べたように、好適には、蓄電池１１によって給電される。データ処理媒体つきのマイクロコントローラは、カード上の種々のプロセスを実行する。記憶装置、好適には、ＥＥＰＲＯＭはマイクロコントローラに含まれるか、またはそれと接続している。記憶装置にはプログラムとデータファイルが入っており、これらは好適にはヒエラルキーのリスト構造になっている。この記憶装置のデータファイルとリソースは３つの領域１２、１３、１４にグループ分けされる。第１の領域１２は安全領域であり、加入者が変更できないデータファイルと構成要素が含まれる。このグループには、従来のＧＳＭデータとプログラムのほかにＴＴＰデータとプログラム、および１つ以上の私的な鍵および／または１つ以上の公的な鍵が含まれる。本発明では、この領域には、組み込まれた時間測定装置を制御するためのレジスタとプログラム、および料金表、料金決済プログラムおよびドキュメント作成プログラムが含まれる。
【００２１】
この領域１２では、データとプログラムは１つの暗号プロセスを経てロード、ないし変更できる。このプロセスでＪＡＶＡプログラムもカードの領域１２で伝送できる。
【００２２】
第２領域１３は安全ではない。加入者はこの領域のすべてのデータとプログラムにアクセスできる。この領域には加入者が頻繁にコールする電話番号が入っている電話帳のほかに、さらに種々のユーザプログラムとデータ、たとえば遠隔ロード可能なＪＡＶＡプログラムが含まれる。
【００２３】
第３のオプション領域１４には、ＳＩＭカード１０と外部機器との直接の無接点接続を担うデータとプログラムが入っている。無接点接続は、たとえば、カードまたはモバイル機器に統合されたコイルによって、またはモバイル機器１のケースの赤外線インタフェースによって誘導的に行うことができる。
【００２４】
領域１２、１３および／または１４に保存された追加の身元識別パラメータによって、ＳＩＭカード１を他のシステム用のＩＤカードとして使えるようになる。たとえば、他の電気通信網１６で使用したり、外部機器１７のために使用したり、ネットワークコンピューティング機器ＮＣ１８において、またはモバイルネットワークコンピューティング機器ＭＮＣ１９において、またはチップカードでの加入者識別が利用できるような機器すべてにおいてＩＤカードとして使える。このようなさまざまな別のシステムは、バーチャルなＳＩＭバス１５で、領域１２、１３、１４の必要な識別パラメータにアクセスできる。アクセスは電気的インタフェースによって、たとえばカード表面の接触面によって、あるいは上述の赤外線インタフェース、または誘導的インタフェースによって無接点で可能である。
次に、このＩＤカードを利用する決済方法についてさらに詳しく説明する。
【００２５】
モバイル機器１のＳＩＭカード１０がオンになると、プログラムはまずカードの安全な領域１２で、時間測定装置１００がセットされたかどうかを検査する。セットされていないならば、カード１０は時間問い合わせメッセージを時間コントローラ５に送り、コントローラは時間ドキュメントで回答する。時間ドキュメントは１つの時間データを含み、好適には、有効チャネルのＳＩＭサーバ３に電気通信網２を介して伝送され、それによって伝送時間はできるだけ短くなる。あるバリエーションでは、時間ドキュメントはＵＳＳＤメッセージとして電気通信プロトコルの信号レイヤを経て伝送される。しかし、ＳＭＳメッセージの伝送時間は予想できないので、時間ドキュメントは、好適には、このチャネルで伝送されない。
【００２６】
伝送時間補償は統計判定から算定され、利用できる。時間ドキュメントは、好適には、ＴＴＰサーバ７で電子署名され、それによって偽造者がセットされた時間を改ざんするために偽造された時間ドキュメントを送ることができなくなる。ＳＩＭカード１０は署名されたドキュメントを受信し、署名を検証し、それが正しければ時間測定装置を、伝送され、補償された時間にセットする。
【００２７】
好適には、他のメカニズムが準備されているので、ＳＩＭカード１０においてセットされた時間は修正される。たとえば、時間コントローラ５は定期的にセットされた時間を検証し、必要ならば補正用の時間ドキュメントを作成する。あとで説明するように、ＳＩＭカード１０はビリングドキュメント（請求書類）および／またはＣＤＲ（Ｃａｌｌ  Ｄｅｔａｉｌ  Ｒｅｃｏｒｄ）を作成し、それには常に１つの時間ドキュメントが含まれるので、あるバリエーションでは算定した時間を検証できる。それによって、時間のずれが生じたならば時間測定装置１００を調整することができる。いずれの場合も時間測定装置１００が常に実際の時間ゾーンの時間でセットされることが肝要である。この目的のために、たとえば、時間測定装置を、ＳＩＭカード１０が新しい電気通信網にログインするごとに調節するように設計できる。あるバリエーションでは、時間コントローラ５はモバイル機器１がオンになるとＳＩＭカード１０に１つの時間ドキュメントを送る。別のバリエーションでは、モバイル機器はログインごとに実際の地理的位置を定め、それ自体で、カードに保存されている時間ゾーン表に沿って時間ゾーンを修正する。
【００２８】
こうした処理方法と平行して、モバイル機器のログインのときに、領域１２に保存されている料金表がアクチュアルであるかどうか、完全であるかどうかも検証される。このためにホームネット２へのログインの際に、または訪れたネットワークでのログインの際に１つのドキュメントが、アクチュアルな料金表が保存されているホームネットの料金サーバ６へ伝送される。この料金表がＳＩＭカード１０でもはやアクチュアルでないならば、または補完しなければならないならば、１つの料金ドキュメントが料金サーバ６によって作られ、サーバ７によってＴＴＰ暗号化され、署名され、ＳＩＭサーバ３と通信網２を介してＳＩＭカード１０に伝送される。ＳＩＭカード１０は受信した料金ドキュメントを検証し、この署名が正しければ、保存されている料金表は補完されるか、または整合される。
【００２９】
こうした料金表伝送方法は、ネットワーク事業者が料金整合を行い、料金サーバ６にある自社の料金表を変更するたびに導入することも可能である。この場合、料金サーバは自動的に新しい料金をすべての加入者に送ることができる（料金表の初期化とアップデート）。
【００３０】
ＳＩＭカード１０の保存能力に制限がないわけではないので、好適には、完全な料金セットが保存されるのではなく、加入者が統計的にしばしば電話する領域用の料金、およびオプションで、あらかじめ決めた領域のための料金だけが保存される。たとえば、新しいＩＤカードには自分のホームネット内の通話料金だけが、またはホームネットといくつかの隣接ネットワークの間の通話料金だけが保存される。加入者が自分のモバイル機器で他のネットワークにログインすると上述のメカニズムによってこの新しいネットから、およびそのネットでのコール用の料金表がその加入者のＩＤカード１０に追加して保存される。
【００３１】
ユーザ依存の割引カウンタは、保存された料金表に関連付けられるので、ユーザは個別に自分の使用特性に沿った割引を利用することができる。割引は種々の基準で任意に導入できる。たとえばあるネットワーク事業者はＳＩＭカードの割引パラメータを大企業の従業員のＳＩＭカードにプログラミングでき、または事後にもロードできる。
【００３２】
以下に記述するビリングドキュメントにも、好適には、料金表バージョンが伝送され、これは統計的コントロールのために使用できる。事後にセットされ、決済用に使用するバージョンが正しくない場合は、アクチュアルな料金表が上述のメカニズムで、ＳＩＭカード１０に伝送され、修正される。
次に１つのコールで決済がどのように行われるかを説明する。
【００３３】
回線接続されると、コール番号が適当なプログラムでＩＤカード１０の安全な領域１２で分析される。目的地のために必要な料金値がカード１０の料金表にあれば、回線接続が有効に実行される。必要な料金表要素をカードで利用できないならば、回線接続は好適に阻止され、アップデートドキュメントが料金サーバに送られ、このデータがロードされる。
【００３４】
決済すべき金額を判定するために必要なパラメータは、回線接続の信号に沿って集められる。決済すべき金額は、たとえば通話時間、時刻、曜日、発信者（Ａ）の所在地および受信者の所在地、料金表、および場合によってはユーザ特有の割引に依存する。これらすべてのパラメータは、ＩＤカードの安全な領域１２に入っているか、あるいは時間測定装置１００で算定できる。決済すべき金額の判定は、コール終了後に、時間測定装置で求めたこの通話時間に従って、適当なプログラムによって安全な記憶装置領域１２において実行される。この金額は、好適には、モバイル機器１の表示部に表示され、ビリングドキュメントに記入され、ＴＴＰ署名され、電気通信網２を介してビリングコレクタ４に伝送される。あるバリエーションでは、ビリングコレクタには、カードで求めた金額の代わりにこの判定に関して必要な通話時間、時刻などのパラメータが送られる。
【００３５】
回線が中断されると、ビリングドキュメントは伝送できないのでＳＩＭカードの安全な領域１２に保存され、次にカード１０が差し込まれたときにビリングコレクタ４に送られる。新しい回線接続は、最後に署名したビリングドキュメントがビリングコレクタに正しく伝送されるまでは阻止される。
【００３６】
ビリングドキュメントはカードの安全な領域１２でスタックに保存されるようにすることもできる。複数のビリングドキュメントが同時にビリングコレクタ４に送られるか、または必要ならば呼び出される。
【００３７】
ＳＩＭカード１０がプリペイドカードであり、保存された金額が入っているならば、決済される金額は、好適には、直接この口座から引き落される。プリペイドＳＩＭカードは特許申請書ＥＰ９６８１０５７０．０に記述されている。ビリングドキュメントはこの場合コントロールのためにだけ、および統計のためにだけビリングコレクタ４で使われる。
【００３８】
カードがプリペイドカードならばビリングドキュメントはビリングコレクタ４で金融サービス会社ごとに分類され、対応する金融サービス会社に伝送される。金融サービス会社は加入者に請求書を送るか、またはその口座から引き落す。金融サービス会社になるのはネットワーク事業者自身、または銀行、クレジット会社または他の代金取立て機関である。ビリングドキュメントは請求書になるので、ネットワーク事業者は独自の課金システムを管理する必要はなくなる。
【００３９】
使用料引き落しのためのすべての要素は、ビリングドキュメントに入っているので、加入者にたとえばインターネットでまたは郵便で送ることができる。ビリングドキュメントはすでに述べたようにＴＴＰ暗号化され、署名されているので、正当な加入者だけが自分の使用料口座残高案内書にアクセスできる。
【００４０】
本発明に従ったプリペイド決済方式とポストペイド決済方式は、同じ電気通信システムで平行して導入できることを専門家は保証する。
【００４１】
ＳＩＭカードで作られるビリングドキュメントと平行して、好適には、ＧＳＭネットワークのインフラストラクチャで従来のＣＤＲ（Ｃａｌｌ  Ｄｅｔａｉｌ  Ｒｅｃｏｒｄ）が作られ、これがビリングドキュメントのコントロールのために、および統計のために使われる。
【００４２】
この方法は、ＳＩＭカードの使用者の通話料金を決済するために導入できるだけではなく、カード１０の他のリソースの使用料を決済するためにも導入できる。基本的にこの方法によって、ＳＩＭカード１０の決済パラメータが利用されるすべてのオペレーションを決済できる。たとえば、カードの保存領域に保存されるプログラムの利用、または誘導的インタフェースの利用、または赤外線インタフェースの利用の料金も、たとえば、使用時間に依存して決済できる。
【００４３】
この決済方法は、加入者のホームネットとローミングによって結ばれているネットワークならばどこでも導入できる。応用分野はホームＧＳＭネットワークに限定されない。導入はすべての電気通信網のネットワーク構造に依存せずに世界的に可能であり、ＧＳＭシステム以外の他の通信システムでも使用できる。
【００４４】
この決済方法は複数のネットワーク事業者の場合にも利用できる。この場合、好適には、個々のネットワーク事業者はそれ自身の料金サーバ６を利用する。種々の料金サーバは、好適には、相互に結ばれているので、料金整合は国際的に一度行うだけでよい。あるバリエーションでは、すべての料金表はマスタ料金サーバに保存され、そこから、料金を決めるために、すべてのネットワーク事業者特有の料金サーバにアクセスできる。他のバリエーションでは、すべてのネットワーク事業者は、すべてのネットワーク事業者が管理する同じ料金サーバ６にアクセスできる。料金サーバでのネットワーク特有の料金の管理は、個々のネットワーク事業者が、暗号で保証されているプロセスで行うことができる。
【００４５】
このプロセスは、ＳＩＭカードとＳＩＭサーバの間で暗号化され、安全なデータ伝送チャネルが存在するならば、安全、確実に行われる。暗号化はすでに述べたようにＴＴＰ機能で、またはＰｏｉｎｔ−ｔｏ−Ｐｏｉｎｔアルゴリズムで実現できる。
【図面の簡単な説明】
【図１】  本発明のシステムのブロック図を示す。
【図２】  本発明のＳＩＭチップカードのブロック図を示す。
【図１】
0003760097.tif 000002
【図２】
0003760097.tif 000003